(57)【要約】      （修正有）【課題】装飾表示部および暦表示部のバランスがとれ、美麗で利用し易く、装飾表示部および暦表示部も充分に活用・利用し得るカレンダーを提供する。【解決手段】一枚のシート部材１を縦横に４分割し、互いに対角線上に位置する上下の区画の一方を月暦の異なる暦表示部２、３とし、他方の区画を図柄などが異なる装飾表示部４、５とし、かつ、その各々を分離可能とするミシン目からなる切取線７を、縦方向及び横方向に設けたシート部材の複数を積層してカレンダーとする。【選択図】図１
0003158278.tif 000002
【実用新案登録請求の範囲】
【請求項１】
一枚のシート部材を縦横に４分割し、
互いに対角線上に位置する上下の区画の一方を暦表示部とし、他方の区画を装飾表示部とし、
かつ、その各々を分離可能とする切取線を、縦方向及び横方向に設けたシート部材の複数を積層して構成したこと
を特徴とするカレンダー。
【請求項２】
前記暦表示部は、
夫々一月の月暦を表示するためのもので、上半部に表示される月暦の月は、下半部に表示される月暦の月に続くものであること
を特徴とする請求項１に記載のカレンダー。
【請求項３】
前記装飾表示部は、
それぞれその一部に縮小された月暦を有し、当該月暦は横列する暦表示部に表示される月の三ヶ月後の月暦であること
を特徴とする請求項２に記載のカレンダー。
【請求項４】
前記装飾表示部は、
その一部に書き込み可能なメモ欄を設けてあること
を特徴とする請求項１又は２に記載のカレンダー。
【請求項５】
前記縦方向に設けられる切取線は、
所要の間隔を存して２本平行に設けられていること
を特徴とする請求項１に記載のカレンダー。
【請求項６】
積層されたシート部材は、
それぞれミシン目からなる切取線を介して綴じ部に連接されて一体化され、綴じ部に設けられた吊り下げ部材により吊り下げ用とされていること
を特徴とする請求項１に記載のカレンダー。
【請求項７】
一枚のシート部材を縦横に４分割し、
互いに対角線上に位置する上下の一方の区画を暦表示部とし、他方の区画を装飾表示部とし、
かつ、その各々を分離可能とする切取線を、縦方向及び横方向に設けたシート部材の複数を積層して構成されたものであって、
上下に配置される装飾表示部は、上下又は左右方向に形成される切取線の一部を共有するとともに、
上段の暦表示部には、側縁に沿って所要幅で、綴じ部から下段の装飾表示部に到る切取線が平行に形成されていること
を特徴とするカレンダー。
【考案の詳細な説明】
【技術分野】
【０００１】
この考案は、カレンダーに関するものである。
より詳細には、写真や絵画からなる装飾表示部と暦表示部とから構成されるカレンダーにおいて、必要に応じて装飾表示部及び／又は暦表示部が切り離し自在とされているカレンダーに関するものである。
【背景技術】
【０００２】
通常、カレンダーは、二ヶ月分の月暦を下段に、その上段に写真や絵画からなる装飾部とともに印刷されたもの、あるいは一ヶ月分の月暦が、写真や絵画からなる装飾部とともに印刷されたカレンダー、特に吊り下げ式のカレンダーが、各家庭や事務所等において、幅広く利用されている。
【０００３】
かかるカレンダーについては、これまでにも、その構成やカレンダーの再利用の面を含め、非常に多くなされてきている。
【０００４】
例えば、特開平１１−２６８４４６号公報（特許文献１）には、カレンダーにスケジュールを記入したり見たり調べたりするとき、当月はもとより、翌月にも及ぶことが常であるので、１シートに一ヶ月分又は二ヶ月分の月暦を印刷し、それを一年分に纏めて吊り下げ用のカレンダーとしたものは、１シートに印刷された月暦に記載された日日が経過するまでは、切り離すことができない。
また、次シートに印刷された翌月の月暦を、一目で見ることができず、次シートの翌月の月暦にわたるスケジュールを記入したり見たり調べたりするため、いちいちシートをめくる煩わしさ、不便さがあり、それを解消するカレンダーについての提案がある。
【０００５】
具体的には、１シートに二ヶ月分づつ月暦を横に並べて印刷し、それを一年分に纏めた吊り下げ用のカレンダーにおいて、二ヶ月分の月暦の先行する月の月暦と、後続の月の月暦との間の縦方向に、過去となった月暦部を一ヶ月分ごとに切り離し可能なミシン目を入れ、一ヶ月ごとに月暦部を切り離すというものである。
【０００６】
また、実用新案登録第３０７６６８９号公報（特許文献２）には、カレンダーの装飾部に表示されたスポーツ選手の写真や素敵な風景のイラスト等が、それとともに印刷された月暦が、月が代わると利用価値が無くなるので、装飾部を含めて廃棄され、利用されていないという問題点を解消する提案がなされている。
【０００７】
具体的には、月暦部と装飾部との間にミシン目を入れ、切り離し自在とし、カレンダーとしての役目が終了後、装飾部を切り離して、ポストカードとして再利用するというものである。
【０００８】
さらに、特開２００３−２６６９７０号公報（特許文献３）には、通常のカレンダーには、古くなったシートを取り除かないと次月の月暦表示が見えないため、年末までの長期間の暦を一覧できない、一年十二ヶ月分の月暦表示を併設すると表示欄の分だけスペースが余分に必要になる上、もはや過去となった月暦が１年を通して表示されることとなる、めくり取ったシートは殆どの場合は廃棄するしかなく、装飾表示欄に気に入った写真やイラストを保存したいときは、別途ファイル等を購入する必要があるという点を改良したカレンダーが提示されている。
【０００９】
すなわち、冊子状に綴じられたシートからなるカレンダーのシートについて、上側のシートが下側のシートの装飾表示部を覆うように重ねられた構成とし、使用初期においては、各シートの月暦表示部が相互に重なることなく露呈しているとともに、上側のシートの少なくとも月暦表示部を除去することにより、その下側のシートの装飾表示部が露呈するように構成したものである。
【００１０】
このように構成されたカレンダーは、年頭においては一年十二ヶ月分の月暦が全て見えるように表示される。
しかるのち、一ヶ月経過して経過分の月暦が設けられたシートを除去して月めくりを行なうことにより、そのシートの下に隠れていた装飾表示が現れ、月めくり等を行なうごとに次々と新しい装飾表示が現れて徐々にその面積が大きくなる。
そのため、年間を通じて装飾部に対する飽きがこず、年頭には一年十二ヶ月分の暦表示部が全て見え、月めくりを行なっても、除去した月より後の年末までの暦が、カレンダーの使用終了時まで常に一覧できるため、合理的でかつきわめて使い勝手がよいとされている。
【先行技術文献】
【特許文献】
【００１１】
【特許文献１】特開平１１−２６８４４６号公報（請求項１、段落０００２）
【特許文献２】実用新案登録第３０７６６８９号公報（請求項１、段落０００１）
【特許文献３】特開２００３−２６６９７０号公報（請求項１、段落０００３、００４９）
【考案の概要】
【考案が解決しようとする課題】
【００１２】
以上のように、カレンダーに関しては、種々の提案がなされ、それらのいずれも長所を有するものであるが、未だ満足できない点も有しているのである。
【００１３】
すなわち、特許文献１で提案されたカレンダーは、一枚のシートに二ヶ月分以上の月暦が設けられている場合、過去となった月暦を自在に切り離しができ、そのあとに新しい月暦が表示されるという利点を有しているものの、装飾部に関しては、何等示唆することがなく、装飾部に関しての改良は全くなされていない。
【００１４】
一方、特許文献２での提案は、装飾部のリサイクルに関するもので、装飾部をカレンダーから切り離し自在とし、切り離した装飾部をポストカードとして再利用するというものであるが、月暦部に関しては、従来どおりとしているものである。
【００１５】
これに対して、特許文献３に記載のカレンダーは、月暦部も装飾部も切り離し自在としたため、写真やイラスト等の装飾表示を切り離してアルバムを作成したり、予定や記録を書き込んだ暦表示部を切り離して簡易的な行動記録や日記を作成したりすること可能なものである。
また、月ごとに月暦を切り離すと、隠れていた装飾表示が現れ、装飾表示を任意に切り離しできるため、新しい装飾部が表示され、あるいは気に入った装飾部を長期に表示とすることができるため、年間を通じて飽きがこない、という効果が奏されるとされている。
【００１６】
しかしながら、このカレンダーは、一年十二ヶ月の月暦を一枚のシートに収めるものであるため、各月の月暦が小さなものになり、見え難いものである。
また、簡易的な行動記録や日記を記入するスペースが小さく、満足のいくものとはならず、さらには、装飾部における写真やイラストが小さく、雑然としていると言う感覚を拭えないおそれがあるものである。
さらには、このカレンダーでは１〜２月にかけては、装飾表示が無く、３〜４月にかけては、装飾表示が小さく、美麗さに欠けると言わざるを得ないものである。
【００１７】
この発明はかかる現状に鑑み、従来のカレンダーが有していた長所を取り入れ、それによる短所の発現を抑え、バランスのとれたカレンダーを作成すべく種々検討を行い、カレンダーとして美麗で利用し易く、装飾部および暦表示部も充分に活用し得るカレンダーを提供せんとするものである。
【課題を解決するための手段】
【００１８】
前記記課題を解決するため、この考案のカレンダーは、
一枚のシート部材を縦横に４分割し、
互いに対角線上に位置する上下の区画の一方を暦表示部とし、他方の区画を装飾表示部とし、
かつ、その各々を分離可能とする切取線を、縦方向及び横方向に設けたシート部材の複数を積層して構成されていること
を特徴とするカレンダーである。
【００１９】
また、この考案の請求項２に記載の考案は、
請求項１に記載のカレンダーにおいて、
前記暦表示部は、
夫々一月の月暦を表示するためのもので、上半部に表示される月暦の月は、下半部に表示される月暦の月に続くものであること
を特徴とするものである。
【００２０】
また、この考案の請求項３に記載の考案は、
請求項２に記載のカレンダーにおいて、
前記装飾表示部は、
それぞれその一部に縮小された月暦を有し、当該月暦は、横列する暦表示部に表示される月の三ヶ月後の月暦であること
を特徴とするものである。
【００２１】
また、この考案の請求項４に記載の考案は、
請求項１又は２に記載のカレンダーにおいて、
前記装飾表示部は、
その一部に書き込み可能なメモ欄を設けてあること
を特徴とするものである。
【００２２】
また、この考案の請求項５に記載の考案は、
請求項１に記載のカレンダーにおいて、
前記縦方向に設けられる切取線は、
所要の間隔を存して２本平行に設けられていること
を特徴とするものである。
【００２３】
さらに、この考案の請求項６に記載の考案は、
請求項１に記載のカレンダーにおいて、
積層されたシート部材は、
それぞれミシン目からなる切取線を介して綴じ部に連接されて一体化され、綴じ部に設けられた吊り下げ部材により吊り下げ用とされていること
を特徴とするものである。
【００２４】
さらにまた、この考案の請求項７に記載の考案は、
一枚のシート部材を縦横に４分割し、
互いに対角線上に位置する上下の一方の区画を暦表示部とし、他方の区画を装飾表示部とし、
かつ、その各々を分離可能とする切取線を、縦方向及び横方向に設けたシート部材の複数を積層して構成されたものであって、
上下に配置される装飾表示部は、上下又は左右方向に形成される切取線の一部を共有するとともに、
上段の暦表示部には、側縁に沿って所要幅で、綴じ部から下段の装飾表示部に到る切取線が平行に形成されていること
を特徴とするカレンダーである。
【考案の効果】
【００２５】
この考案のカレンダーは、カレンダーを構成する暦と絵や写真等の装飾が施されるシート部材が４分割され、その区分された４ヶ所の内２ヶ所は暦表示部とされ、他の２ヶ所は装飾表示部とされているため、それぞれが十分の大きさを有し、暦表示部に印刷された月暦に簡単なメモ、予定等を記入することに支障は全く無く、装飾表示部も美観を与えるに十分な広さを有している。
【００２６】
また、暦表示部と装飾表示部は、それぞれ個々にミシン目などからなる切取線により切り離し自在とされているので、月日の経過した月暦は直ちに切除でき、それに伴なって、新しい月暦が表示され、絵や写真等の装飾も任意に、すなわち、愛着を感じるものは長く掲示し、気に入らないものは直ちに削除することが可能である。
【００２７】
さらに、月暦も絵や写真等のいずれも個別に切り離されるため、絵や写真等は画集や写真集、さらには額装して壁面の装飾、机上の飾りとすることができ、メモの記載された月暦は、纏めることによりスケジュール管理に利用することが可能である。
【００２８】
さらにまた、請求項７に記載のカレンダーは、前記各効果を奏するとともに、好ましい装飾表示部は、切り取らずに残すことも可能なものである。
【図面の簡単な説明】
【００２９】
【図１】この考案にかかるカレンダーの一例の第１頁となるシート部材の平面図である。
【図２】この考案にかかるカレンダーの一例の第２頁となるシート部材の平面図である。
【図３】この考案にかかるカレンダーの一例の第７頁（最終頁）となるシート部材の平面図である。
【図４】この考案にかかる他のカレンダーの第１頁となるシート部材の平面図である。
【考案を実施するための形態】
【００３０】
以下、添付の図面を参照し、この考案のカレンダーを詳細に説明する。
この考案にかかるカレンダーＣは、図１で明らかなように、基本的に二ヶ月分の月暦を一枚のシート部材１に表示するもので、少なくとも月暦を表示した６枚のシート部材から構成される。
その際、表紙を、最初に表示される月暦の表面に設けてもよいこと当然である。
また、図１においては、カレンダーＣを壁面等への吊り下げ用とするために、綴じ部８や吊り下げ部材９が連接されて設けられているが、後述するように、必ずしも必要とするものではない。
【００３１】
前記月暦を表示するシート部材１は、図１に示すように、縦横に均等に４分割される。
シート部材１の４分割に際しては、基本的に上下左右に均等に分割されるが、必ずしも区画された部位の面積は均等であることは要件ではない。
縦横に４分割されたシート部材１は、月暦を表示する区画と、装飾の施される区画が交差するように二ヶ所づつ、換言すると、互いに対角線上に位置する上下の区画の一方を暦表示部２，３とし、他方の区画４，５を装飾表示部とするものである。
【００３２】
区画された暦表示部２，３と装飾表示部４，５は、その境界に、ミシン目などの切取線７が設けられ、互いに切り離し自在に構成されている。
また、図１に示されるように、これらシート部材１を積層してカレンダーＣとする際、吊り下げ用のカレンダーＣとするためには、吊り下げ部材９を有する帯状の綴じ部８によって、複数枚のシート部材が一体化されるものである。
当然のことながら、綴じ部８に対して前記暦表示部２や装飾表示部４を切り離すことができるよう、シート部材１と綴じ部８の間も切取線７が設けられるものである。
【００３３】
なお、前記暦表示部２，３や装飾表示部４，５を切り離すために、シート部材１に形成される縦方向の切取線７を、図１の一点鎖線で示すように、所要の間隔を存して平行する２本の切取線７ａ，７ａで形成しておくことによって、下段の装飾表示部５をより長期に掲示することが可能となる。
【００３４】
すなわち、例えば、上段又は下段のある暦表示部２，３に対応して設けられた、下段の装飾表示部５を長く保存した場合に、上段の暦表示部２が役目を終え、かつ装飾表示部４が切り取られていたとしても、前記装飾表示部５は、２本の切取線７ａ，７ａ間に形成される帯状部が綴り部８に保持されているので、シート部材１から切り取られることがないものである。
【００３５】
また、図１においては、シート部材１は、吊り下げ用カレンダーＣにするためのものであるので、綴じ部８や吊り下げ部材９が設けられているが、これらシート部材を用いて、額装し壁掛けにする場合、あるいはケースに収めて机上や卓上用カレンダーとする場合には、これら綴じ部８や吊り下げ部材９は不要のものである。
【００３６】
シート部材１における、暦表示部２，３に記載される月暦は、月日の経過とともに切り離されることを考慮すると、暦表示部３には先行する月（前月）の月暦を表記し、暦表示部２に後続する月（当月）の月暦を表示するのが好ましい。
【００３７】
また、装飾表示部４，５も、それぞれ暦表示部２，３に対応した、当該月暦に相応しい写真や絵で飾るのであれば、装飾表示部４を暦表示部２に表示された月に、装飾表示部５を暦表示部３に表示された月に相応しいもので装飾すればよいが、必ずしも、これに拘ることなく花や風景、有名人や著名絵画などで装飾すればよく、図柄には特段の制限はないものである。
【００３８】
さらに、装飾表示部４，５は十分な大きさを確保することが容易であるから、その一部に、後続する月の月暦やメモの記入を可能とする欄を設けることができる。
月暦を表示するときは、次シート部材に表示される月に関して行ってもよいが、より広い範囲にわたって、スケジュール等を考えることを考慮すれば、さらに先の月の月暦を表示しておくのがよい。
例えば、暦表示部２，３に横並びする装飾表示部４，５に、それぞれ三ヶ月後の月暦を表示しておくのが好ましい。
【００３９】
このシート１部材は、必要に応じて設けられる表紙を除いて、カレンダーの第１頁を構成するものである。
したがって、上記の点を考慮して、左上の暦表示部２には、カレンダーの使用される年の１月の月暦が表示され、右下の暦表示部３には、前年の１２月の月暦が表示される。
これに対応して、右上の装飾表示部４には１月に相応しい装飾が施され、左下の装飾表示部５には１２月に相応しい装飾が施されている。
但し、装飾表示部は、逆であってもよいことは当然である。
また、装飾表示部４に４月、装飾表示部５には５月の月暦が、それぞれ小さく表示されている。
【００４０】
図２に示されるシート部材１ａは、カレンダーＣの第２頁を構成するものである。
前記シート部材１と同様の構成をなし、左上の暦表示部２ａには、カレンダーＣの使用される年の３月の月暦が表示され、右下の暦表示部３ａには２月の月暦が表示される。
これに対応して、右上の装飾表示部４ａには３月に相応しい装飾が施され、左下の装飾表示部５ａには２月に相応しい装飾が施されている。
また、右上の装飾表示部４ａには６月、左下の装飾表示部５ａには５月の月暦がそれぞれ小さく表示されている。
【００４１】
以下同様にして、図示しないが、第３頁のシート部材（４月と５月の月暦表示と２つの装飾表示部）、第４頁のシート部材（６月と７月の月暦表示と２つの装飾表示部）、第５頁のシート部材（８月と９月の月暦表示と２つの装飾表示部）、第６頁のシート部材（１０月と１１月の月暦表示と２つの装飾表示部）が作成される。
【００４２】
図３に示されるシート部材１ｆは、当該年度の最終月となるもので、暦表示部３ｆには１２月の月暦が、暦表示部２ｆには翌年の１月の月暦が表示され、かつ各装飾表示部４ｆと５ｆには、それぞれ相応しい装飾が施され、それら第１頁〜第７頁が積層され、必要に応じて、表紙、裏表紙が付加され、この考案のカレンダーＣとされる。
【００４３】
図４に示すカレンダーＣ１は、この考案にかかる他の実施例を示すものである。
すなわち、このカレンダーＣ１は、シート部材１を縦横に４分割するに際し、横方向に形成する切取線７によって上下に均等に２分割したのち、縦方向に形成する切取線７，７によって、暦表示部２，３を装飾表示部４，５の面積より小さく形成し、もって各装飾表示部４，５を上下方向において区画する横方向に形成された切取線７の一部を互いに共有させるとともに、かつ左上の暦表示部２の側縁に沿って、所要の幅を存して綴じ部８から装飾表示部５の上縁に到る切取線７ａを設けたものである。
【００４４】
したがって、このカレンダーＣ１においては、右下の暦表示部３が既に切り取られ、かつ左上の暦表示部２の月暦が終了し、切取線７，７，７ａを利用して、暦表示部２をシート部材１から切り離しても、装飾表示部５は、前記暦表示部２の側縁と切取線７ａとの間に形成される帯状部を介して綴り部８に繋がっているとともに、装飾表示部４とも共有する切取線Ｊを有しているので、装飾表示部５を保存することができる。
【００４５】
なお、図示しないが、シート部材１を縦方向に形成する切取線７によって左右に２分割し、分割された左右の区画にそれぞれ横方向に形成する切取線によって、前記縦方向の切取線の一部を共有する装飾表示部を上下に配してもよい。
【００４６】
この場合も、前記図４で示すように、左上の暦表示部の側縁に沿って、所要の幅を存して綴じ部から装飾表示部の上縁に到る切取線７を設けるものである。
【００４７】
かかる構成からなるこの考案のカレンダーは、第１頁には、当年度１２月の月暦と翌年１月の月暦が表示され、１２月が過ぎて、１２月の月暦を切り離すと、翌年２月の月暦が現れ、カレンダーの表面には翌年１月および２月の月暦が表示され、１〜２月のカレンダーとして機能する。
１月が経過して、１月の月暦を切り離すと、３月の月暦が現れ、カレンダーの表面には２月と３月の月暦が表示され、２〜３月のカレンダーとして機能し、以下同様にして、１年間カレンダーとして利用される。
なお、その間、好みに応じて、装飾部は個々に切り離し別途、あるいは切り離さずにカレンダーのうえで観賞することができる。
【００４８】
また、上記のように、この考案のカレンダーは、使用する年の前年１２月の月暦と、使用する年の翌年１月の月暦も表示されたものであるから、新年に向かってのスケジュール管理にも有効なものである。
また、第１頁に表示された１２月の月暦を切り離すと、第２頁に表示された翌年２月の月暦が顕示することになるので、その点においても、スケジュール管理に有効なものである。
【００４９】
また、過ぎ去った月の月暦を切り離すとき、当該月に対応する装飾表示部に愛着を感じるならば、その装飾表示部の切り離しを後日にすることもできる。
また、好みに合わない場合は、直ちに切り離すこともできるので、カレンダーに対する興味を大きく付加するものである。
【００５０】
なお、このカレンダーにおいては、装飾表示部４又は５を切取線７を利用してシート部材１から除去する手段を説明したが、切取線７を利用してシート部材１の裏面に折り込むことによって、一時的に保存することも可能なものである。
【産業上の利用可能性】
【００５１】
この考案のカレンダーは、上記のような優れた特性を有するものであるから、家庭や事務所等で広く利用される可能性を有し、カレンダーを製造する印刷業界において利用される可能性の大きいものである。
【符号の説明】
【００５２】
１，１１    シート部材
２，３      暦表示部
４，５      装飾表示部
６          メモ記載欄又は月暦表示部
７          切取線
８          綴じ部
９          吊り下げ部材
Ｃ          カレンダー
【図１】
0003158278.tif 000003
【図２】
0003158278.tif 000004
【図３】
0003158278.tif 000005
【図４】
0003158278.tif 000006